(57)【特許請求の範囲】
【請求項１】
周辺機器と周辺機器制御装置との間に接続され、前記周辺機器からの出力信号を緩衝する入力／出力バッファを備え、前記周辺機器と前記周辺機器制御装置は、前記入力／出力バッファがイネーブルされると分離され、該入力／出力バッファがディセーブルされると互いに情報のやりとりをする、コンピュータシステムのホストシステムに設置されたウェークアップ制御回路であって、
前記周辺機器と接続され、イネーブルされると前記周辺機器からの出力信号を受け取り復号する復号器と、
前記ホストシステム、前記復号器および前記入力／出力バッファに接続され、前記コンピュータシステムの制御データを一時記憶し、該制御データに応答して前記入力／出力バッファおよび前記復号器を制御する制御レジスタと、
前記ホストシステムに接続され、ウェークアップモードデータを一時記憶するデータレジスタと、
前記復号器および前記データレジスタに接続され、前記ウェークアップモードデータを前記復号器からの出力信号と比較し、比較結果信号を出力する比較器と、
前記比較結果信号および前記コンピュータシステムのパネルスイッチからの出力信号を受け取り、一致を示す前記比較結果信号およびウェークアップを指示するパネルスイッチからの前記出力信号の少なくとも一方があると前記制御レジスタへ信号を発生する論理ゲートと
を備えたウェークアップ制御回路。
【請求項２】
前記入力／出力バッファは、キーボードおよびマウスの入力／出力バッファを含む請求項１に記載のウェークアップ制御回路。
【請求項３】
前記入力／出力バッファは、赤外線受信器の入力／出力バッファを含む請求項１に記載のウェークアップ制御回路。
【請求項４】
前記入力／出力バッファは、キーボードおよびマウスの入力／出力バッファおよび赤外線受信器の入力／出力バッファを含む請求項１に記載のウェークアップ制御回路。
【請求項５】
コンピュータシステムに内蔵され、該コンピュータシステムのホストシステム上で前記ホストシステム上のチップセットと周辺機器制御装置と、外部の周辺機器との間に接続されたウェークアップ制御回路において、
前記周辺機器と前記周辺機器制御装置との間に接続されイネーブルされると分離しディセーブルされると互いに情報のやりとりが行えるようにし、さらに該周辺機器からの出力信号を緩衝する入力／出力バッファと、
前記周辺機器と接続され、イネーブルされると該周辺機器からの出力信号を受け取り復号する復号器と、
前記ホストシステム、前記復号器および前記入力／出力バッファに接続され、前記コンピュータシステムの制御データを一時記憶し該制御データに応答して前記入力／出力バッファおよび前記復号器を制御する制御レジスタと、
前記ホストシステムに接続され、ウェークアップモードデータを一時記憶するデータレジスタと、
前記復号器および前記データレジスタに接続され、前記ウェークアップモードデータを前記復号器からの出力信号と比較し、比較結果信号を出力する比較器と、
前記比較結果信号および前記コンピュータシステムのパネルスイッチからの出力信号を受け取り、一致を示す前記比較結果信号およびウェークアップを指示するパネルスイッチからの前記出力信号の少なくとも一方があると前記制御レジスタおよび前記チップセットへ信号を発生する論理ゲートと
を備えたウェークアップ制御回路。
【請求項６】
前記入力／出力バッファはキーボードおよびマウスの入力／出力バッファを含む、請求項５に記載のウェークアップ制御回路。
【請求項７】
前記入力／出力バッファは、赤外線受信器の入力／出力バッファを含む請求項５に記載のウェークアップ制御回路。
【請求項８】
前記入力／出力バッファは、キーボードおよびマウスの入力／出力バッファおよび赤外線受信器の入力／出力バッファを含む請求項５に記載のウェークアップ制御回路。
【請求項９】
コンピュータシステムを待機モードからウェークアップさせる方法であって、該コンピュータシステムは、少なくとも周辺機器、周辺機器制御装置、ウェークアップ制御回路およびチップセットを含み、
前記コンピュータシステムが待機モードになる前に、該コンピュータシステムをウェークアップさせるユーザの所定の動作モードを記憶する段階と、
前記コンピュータシステムが待機モードになった後に、前記周辺機器と前記周辺機器制御装置とを分離して、前記周辺機器の出力信号が前記周辺機器制御装置によってではなく前記ウェークアップ制御回路によって受け取られるようにする段階と、
前記周辺機器の出力信号を前記コンピュータシステムをウェークアップさせる前記ユーザの所定の動作モードと比較して、前記出力信号と前記所定の動作モードが一致する場合には、前記ウェークアップ制御回路が前記コンピュータシステムをウェークアップさせ、その後、前記コンピュータシステムを正常な動作モードに戻すようにする段階と
を含むコンピュータシステムを待機モードからウェークアップさせる方法。
【請求項１０】
入力／出力バッファを使用し、前記入力／出力バッファがイネーブルされると、該入力／出力バッファによって前記周辺機器と前記周辺機器制御装置とが分離される請求項９に記載の方法。
【請求項１１】
コンピュータシステムを待機モードからウェークアップさせる方法であって、該コンピュータシステムは、少なくとも周辺機器、周辺機器制御装置、ウェークアップ制御回路およびチップセットを含み、該ウェークアップ制御回路は、少なくとも復号器、制御レジスタ、データレジスタ、比較器および入力／出力バッファを含み、
前記コンピュータシステムが待機モードになる前に、該コンピュータシステムをウェークアップさせるユーザの所定の動作モードを、前記ウェークアップ制御回路の前記データレジスタ内に記憶する段階と、
ウェークアップ制御データを前記ウェークアップ制御回路の前記制御レジスタ内に記憶する段階と、
前記コンピュータシステムが待機モードになった後に、前記周辺機器と前記周辺機器制御装置とを分離して、前記周辺機器の出力信号が前記周辺機器制御装置によってではなく前記ウェークアップ制御回路の前記復号器によって受け取られるようにする段階と、
前記周辺機器からの出力信号を前記復号器によって復号する段階と、
前記ウェークアップ制御回路の前記比較器によって前記周辺機器の出力信号を前記コンピュータシステムをウェークアップさせる前記ユーザの所定の動作モードと比較して、前記出力信号と前記所定の動作モードが一致する場合には、前記チップセットを通じて前記ウェークアップ制御回路が前記コンピュータシステムをウェークアップさせるようにする段階と、
該制御レジスタをクリアして、該復号器が該周辺機器からの出力信号を受け取らないようにする段階と、
前記周辺機器と前記周辺機器制御装置との間の情報のやりとりを再確立するために、前記入力／出力バッファをディセーブルする段階と
を含むコンピュータシステムを待機モードからウェークアップさせる方法。
【発明の詳細な説明】
【０００１】
【発明の属する技術分野】
本発明は、一般にはコンピュータシステムの電力管理および制御回路に関し、より詳細には、マイクロプロセッサが待機モードであるときにパーソナルコンピュータまたはワークステーションをウェークさせるのに用いるウェークアップ(WAKING UP)制御回路に関する。本発明は、さらに詳細には、パネルスイッチではなく周辺機器を用いることによってコンピュータをウェークアップさせるウェークアップ制御回路に関する。
【０００２】
【従来の技術】
米国カリフォルニア州Cupertinoのアップル・コンピュータ社が製造するマッキントッシュのパーソナルコンピュータは、キーボード上の特定のキーを用いて、コンピュータをオンまたはオフする。この方法は非常に便利である。
他方、米国カリフォルニア州サンタクララ市のインテル社は、ＡＴＸ仕様と呼ばれるパーソナルコンピュータ用の仕様を定めている。ＡＴＸ仕様において、電力はもはや機械的なスイッチによって制御されるものではない。ＡＴＸ仕様は、コンピュータシステム全体の電力を、コンピュータ内の制御チップセットで管理し制御する。これは、ソフト電力制御の概念であり、様々な方法を用いてコンピュータをオンまたはオフし、機械的に電力のスイッチをオンにしたりオフにすることに限定されない。
【０００３】
ＡＴＸ仕様のバージョン２．０１の一例として、待機電力５ＶＳＢはＤＣ５Ｖであり、これによって、電力がオフの状態のコンピュータシステムの基本電力管理回路を駆動するための０．７Ａの最大出力電流が供給される。管理回路は、様々な便利な機能を処理するように設定することができる。例えば、システムを前もって設定しておいて、システムが夜間の所定の時間に起動できるようにすることができる。
【０００４】
インテル、マイクロソフト、および東芝は、コンピュータシステムの動作と電力オフとの間に異なる待機モードをいくつか規定しており、構成と電力の間の高度インタフェース（ａｄｖａｎｃｅｄ  ｃｏｎｆｉｇｕｒａｔｉｏｎ  ａｎｄ  ｐｏｗｅｒ  ｉｎｔｅｒｆａｃｅ：ＡＣＰＩ）の仕様を定めている。コンピュータは、自らが有するタスクの量に従って、省力化に適当な待機モードを決定する。少量から大量まで省力化の量に従って、次の４つの待機モードがある。すなわち、Ｓ１：ＣＰＵのクロックを停止、Ｓ２：ＲＡＭに一時停止(suspend to)、Ｓ３：ディスクに一時停止、およびＳ４：ソフトのオフである。コンピュータが、ＲＡＭに一時停止するモード、Ｓ２モードである場合には、リアルタイムのクロック以外のメインボード上のクロックパルスはすべて、一時停止する。従って、ＣＰＵその他の回路にクロック入力がないために、すべてのタスクが停止する。ユーザがコンピュータをウェークアップしようとしても、周辺機器がすべて一時停止しているので、キーボード制御装置または赤外線制御装置（またはシリアルポート）によってコンピュータシステムをウェークアップさせることはできない。こういった状況のもとで、ユーザはボタンを押してコンピュータに動作を再開することを知らせねばならない。従って、従来のコンピュータシステムは、周辺機器によってウェークアップさせることができない。
【０００５】
【発明が解決しようとする課題】
前述の説明に従って、本発明の目的は、現在のＡＣＰＩ仕様をベースにした、コンピュータシステムを待機モードからウェークアップさせる解決法を提供することである。
本発明の他の目的は、コンピュータシステムを待機モードからウェークアップさせる、ウェークアップ制御回路を提供することである。ウェークアップ制御回路は、元の周辺機器回路の入力／出力バッファを分離せねばならない。これによって、コンピュータシステムが動作モードに復帰するときに異常信号を受け取ってしまうことが防止される。さらに、ウェークアップ制御回路の出力信号は、パネル上のボタンの出力信号と接続して、ワイヤドＡＮＤ（Wire‐And）を形成せねばならない（チップセットの入力信号は能動−Ｌレベル(Active‐Low)と仮定する）。
【０００６】
【課題を解決するための手段】
上述の目的に従って、コンピュータシステムを待機モードからウェークアップさせるのに周辺機器が用いる、ウェークアップ制御回路が提供される。この制御回路は、コンピュータのメインボード上のチップセットと、少なくとも１つの周辺機器制御装置と、外部周辺機器との間を接続し、コンピュータに内蔵されている。制御回路は、少なくとも入力／出力バッファ、復号器、制御レジスタ、データレジスタ、比較器およびＡＮＤ論理ゲートを含む。入力／出力バッファは、出力信号を緩衝するために、周辺機器と周辺機器制御装置との間に接続されている。入力／出力バッファがイネーブルされると、周辺機器と周辺機器制御装置は分離され、入力／出力バッファがディセーブルされると、周辺機器は周辺機器制御装置と互いに情報のやりとりをすることができる。周辺機器と接続された復号器がイネーブルされると、復号器は周辺機器からの出力信号を受け取り復号する。メインボードに接続されてコンピュータシステムの制御データを一時記憶する制御レジスタは、制御データに従って、入力／出力バッファおよび復号器を制御する。復号器およびデータレジスタに接続された比較器は、復号器の出力データを所定のウェークアップモードと比較するのに用いられ、その後比較結果信号を出力する。ＡＮＤ論理ゲートは、比較結果信号および、コンピュータシステムのパネルスイッチからの出力信号を受け取り、メインボード上のチップセットに入力される信号を発生する。
【０００７】
従って、本発明によれば、コンピュータシステムは、パネルスイッチによってではなく周辺機器によって、ウェークアップし正常な動作モードに復帰することができる。本発明は、ユーザにとってより便利でフレンドリーな方法を提供する。
上述の目的に従って、コンピュータシステムを待機モードからウェークアップさせるのに周辺機器が用いる、ウェークアップの方法が提供される。コンピュータシステムは、少なくとも周辺機器、周辺機器制御装置、ウェークアップ制御回路およびチップセットを含む。方法は、以下の各段階を含む。システムが待機モードになる前に、コンピュータシステムをウェークアップさせるユーザの所定の動作モードを記憶する。システムが待機モードになった後に、周辺機器と周辺機器制御装置とを分離して、周辺機器の出力信号が周辺機器制御装置によってではなくウェークアップ制御回路によって受け取られるようにする。周辺機器の出力信号が、システムをウェークアップさせるユーザの所定の動作モードと一致する場合には、ウェークアップ制御回路がコンピュータをウェークアップさせ、その後システムを正常な動作モードに戻す。そうすると、周辺機器は、周辺機器制御装置と再び情報のやりとりをすることができるようになる。
【０００８】
【発明の実施の形態】
特許請求の範囲では、発明とみなされる主題を特に指し示しそれについてはっきりと特許を請求しているが、本発明の目的および特徴、およびそのさらなる目的、特徴および利点は、添付の図面に関して行う以下の説明からよりよく理解されよう。
【０００９】
図１は、従来のコンピュータシステムの周辺機器１１および周辺機器制御装置１２を示す概略図である。コンピュータシステムがＲＡＭに一時停止するモードである場合には、周辺機器制御装置１２（キーボード制御装置、赤外線制御装置またはシリアルポート等）がタスクを停止し、ユーザは周辺機器によってコンピュータシステムをウェークアップさせることはできない。また、ユーザがコンピュータシステムをウェークアップしようとする場合には、ユーザはパネル上のボタンを押して信号ＰＡＮＥＬ＿ＳＷ*（なお、記号*はＰＡＮＥＬ＿ＳＷ全体に上側にバーが付されていることを意味する。以下の各信号でも同じ。）を発生し、それをメインボード１０上のチップセット１３に送り、コンピュータシステムに動作モードに復帰するように命令せねばならない。従来、コンピュータシステムが待機モードである場合にコンピュータシステムをウェークアップさせる唯一の方法は、パネル上のボタンを押すことである。
【００１０】
従って、パーソナルコンピュータのシステムを待機モードからウェークアップさせるのに用いられる方法および制御回路が提供される。
図２は、本発明の好適な実施形態によるウェークアップ制御回路の概略図を示す。このウェークアップ制御回路は、典型的なコンピュータシステムに内蔵されている。図２はまた、周辺機器制御装置、チップセットおよび外部周辺機器のレイアウトを描いている。外部周辺機器２１とメインボード２０上の周辺機器制御装置２２との間に接続されたウェークアップ制御回路２４は、出力信号ＰＡＮＥＬ＿ＳＷ*を受け取り、チップセット２３によってコンピュータシステムを待機モードからウェークアップさせるために、チップセット２３に接続する。コンピュータシステムが正常に動作している場合には、ウェークアップ制御回路はディセーブルモードであり、外部周辺機器２１が周辺機器制御装置２２と情報のやりとりをすることができるようになっている。ウェークアップ制御回路２４は、システムが待機モードに入る前にイネーブルされ、そうすると、周辺機器２１と周辺機器制御装置２２とを分離することができる。一方で、ウェークアップ制御回路２４は、周辺機器から信号を受け取り、それをユーザが規定する所定の値と比較し、その後チップセット２３の入力へ制御信号ＰＡＮＥＬ＿ＳＷ＿ＯＵＴ*を発生することができる。周辺機器から受け取った信号がユーザが規定する所定の値と一致する場合には、ウェークアップ制御回路２５が制御信号ＰＡＮＥＬ＿ＳＷ＿ＯＵＴ*を発生し、それをチップセット２３の入力に送る。同時に、制御信号ＰＡＮＥＬ＿ＳＷ＿ＯＵＴ*は、制御回路２５にシステムをウェークアップさせるように命令するために、オープンドレイン(open‐drain)で能動−Ｌレベルである。この命令によって、システムは正常な動作モードに戻る。ウェークアップ制御回路２４が制御信号ＰＡＮＥＬ＿ＳＷ＿ＯＵＴ*をチップセット２３の入力に送った後、ウェークアップ制御回路２４は自動的にディセーブルモードに復帰し、周辺機器２１は、周辺機器制御装置２２と再び情報のやりとりをすることができるようになる。更に、ウェークアップ制御回路２４のクロックは、３２．７６８ＫＨｚのリアルタイムのクロックと同じであってもよく、ウェークアップ制御回路２４自体が発生する低周波クロックであってもよい。
【００１１】
図３は、本発明の好適な実施形態によるウェークアップ制御回路２４のブロック図を示す。ウェークアップ制御回路２４は、復号器３１、制御レジスタ３２、データレジスタ３３、比較器３４、入力／出力バッファ３５およびＡＮＤ制御ゲート３６を含む。入力／出力バッファ３５は、システムが正常の動作モードに復帰するときに異常信号を受け取ってしまうことを防止するため、外部周辺機器２１と周辺機器制御装置２２とを分離するよう機能する。ホストシステムは、制御レジスタ３２をイネーブルし、ユーザの所定の値をデータレジスタ３３内に記憶する。一方、復号器３１はイネーブルされて周辺機器２１から信号を受け取る。コンピュータシステムが待機モードに入った後、復号器３１は周辺機器２１からの信号を復号し、その信号を比較器３４に送る。比較器３４は、復号器３１が発生した復号された信号を、データレジスタ３３内に記憶されているデータと比較し、その後比較結果信号ＷＡＫＥ＿ＵＰ*を出力する。ＡＮＤゲート３６は、比較器３４からの出力信号ＷＡＫＥ＿ＵＰ*およびパネル上のボタンによって発生した出力信号ＰＡＮＥＬ＿ＳＷ*を受け取り、その後、ＡＮＤゲート３６は、メインボード上のチップセット２３（図２）の入力へ出力信号ＰＡＮＥＬ＿ＳＷ＿ＯＵＴを発生する。
【００１２】
復号器３１からの復号された信号と、データレジスタ３３内に記憶されているユーザの所定の値が一致する場合には、比較器３４の出力信号ＷＡＫＥ＿ＵＰ*によって、ＡＮＤゲート３６の出力信号ＰＡＮＥＬ＿ＳＷ＿ＯＵＴ*が、論理「０」の０．５−１秒のパルスになり、これによって、チップセット２３によってコンピュータシステムをウェークアップさせることができる。更に、ユーザがパネル上のボタンを押すと、それによって出力信号ＰＡＮＥＬ＿ＳＷ*もまた論理「０」の０．５−１秒のパルスとなるが、これによって、チップセット２３がシステムをウェークアップさせ、正常の動作モードに戻す。
【００１３】
前述の説明によれば、コンピュータシステムが待機モードに入った後、コンピュータシステムは、本発明の方法および制御回路に従って、外部周辺機器によってまたはパネル上のボタンを押すことによって、ウェークアップさせることができる。更に、ユーザは、周辺機器の入力信号を特定の値または特定の値の組み合わせになるように予め定めることができ、それによってコンピュータシステムがウェークアップする。
【００１４】
図４は、本発明の好適な実施形態による詳細な概略図である。ウェークアップ制御回路は、復号器４１、制御レジスタ４２、データレジスタ４３、比較器４４、キーボードおよびマウスの入力／出力バッファ４５ａ、赤外線の入力／出力バッファ４５ｂ、およびＡＮＤ論理ゲートを含む。キーボードおよびマウスの入力／出力バッファ４５ａは、キーボードとキーボード制御装置との間、およびマウスとキーボード制御装置との間を接続する。
【００１５】
コンピュータシステムが待機モードに入る前に、ホストシステムは制御レジスタ４２をイネーブルし、ユーザの所定の値をデータレジスタ４３内に入れる。一方、制御レジスタは、キーボードおよびマウスの入力／出力バッファ４５ａがイネーブルされるときにイネーブルされるので、キーボードとキーボード制御装置とは分離され、マウスとキーボード制御装置とは分離されている。また、赤外線の入力／出力バッファ４５ｂはイネーブルされて、赤外線受信器と赤外線制御装置とを分離する。制御レジスタ４２は、周辺機器から信号を受け取るために、復号器４１をイネーブルする。例えば、制御レジスタ４２は、復号器４１をイネーブルして、それぞれＫＢＥＮ、ＭＳＥＮおよびＩＲＥＮの信号ラインを通じて、外部キーボードの信号ＫＣＬＫおよびＫＤＡＴ、外部マウスの信号ＭＣＬＫおよびＭＤＡＴ、および赤外線受信器の信号ＩＲＲＸを受け取る。
【００１６】
コンピュータシステムが待機モードになった後、復号器４１は、キーボード、マウスおよび赤外線受信器等の周辺機器からの信号を復号し、その後、復号された信号は比較器４４に送られる。比較器４４は、復号器４１からの復号された信号を、データレジスタ４３内に記憶されているデータと比較し、比較結果信号ＷＡＫＥ＿ＵＰ*を発生する。ＡＮＤゲート４６は、比較器４４からの出力信号ＷＡＫＥ＿ＵＰ*および、パネル上のボタンを押すことによる出力信号ＰＡＮＥＬ＿ＳＷ*を受け取り、出力信号ＰＡＮＥＬ＿ＳＷ＿ＯＵＴ*を発生して、メインボード上のチップセットの入力に送る。
【００１７】
復号器４１からの復号された信号が、データレジスタ４３内に記憶されているデータと一致する場合には、比較器４４の出力信号ＷＡＫＥ＿ＵＰ*は、論理「０」の０．５〜１秒のパルスである。従って、復号器４１からの復号された信号が、データレジスタ４３内に記憶されているデータと一致する場合には、比較器４４の出力信号ＷＡＫＥ＿ＵＰ*によって、ＡＮＤゲート４６の出力信号ＰＡＮＥＬ＿ＳＷ＿ＯＵＴ*が、論理「０」の０．５〜１秒のパルスになる。チップセットが信号ＰＡＮＥＬ＿ＳＷ＿ＯＵＴ*を受け取ると、システムのウェークアップ手続きが行われる。更に、ユーザはまた、パネル上のボタンを押して、論理「０」の０．５〜１秒のパルスを発生することもできるが、これによって、チップセットがシステムをウェークアップさせ、システムが正常の動作モードに戻るようになる。
【００１８】
従って、ユーザは、外部周辺機器によってシステムをウェークアップさせる制御モードを前もって設定しておき、その制御モード情報をデータレジスタ内に記憶させておくことができる。外部周辺機器によって入力された信号が、ユーザが規定する所定の値と一致する場合には、ウェークアップ制御回路が、チップセットを制御して、システムのウェークアップ手続きを行う。例えば、ユーザは、いくつかの特別なキーを同時に押す、マウスのボタンのすべてを同時にクリックする、あるいは、赤外線受信器によって特定のデータを受け取る、等の方法を、コンピュータシステムをウェークアップさせる命令の役割をするように規定することができる。
【００１９】
本発明の好適な実施形態が提供するウェークアップ制御回路によれば、コンピュータシステムを待機モードからウェークアップさせる方法は、以下の各段階を含む。
【００２０】
段階１：ユーザは、システムが待機モードになる前に、システムをウェークアップさせる動作モードを予め定める。例えば、システムが待機モードになる前に、システムをウェークアップさせるユーザの所定の動作モードが、ウェークアップ制御回路のデータレジスタ内に記憶される。
【００２１】
段階２：コンピュータシステムが待機モードになった後に、ウェークアップ制御回路が周辺機器と周辺機器制御装置を分離して、周辺機器の出力信号が周辺機器制御装置に送られることを防止し、次いで、周辺機器からの出力信号を受け取る。例えば、コンピュータシステムが待機モードになった後に、ウェークアップ制御回路の制御レジスタが起動して、入力／出力バッファをイネーブルし、それによって、周辺機器と周辺機器制御装置とが分離され、周辺機器からの出力信号が、周辺機器制御装置ではなくウェークアップ制御回路の復号器に受け取られる。
【００２２】
段階３：周辺機器からの出力信号が、システムをウェークアップさせるユーザの所定の動作モードと一致する場合には、ウェークアップ制御回路がシステムをウェークアップさせ、システムを正常な動作モードに戻す。一方、周辺機器と周辺機器制御装置とは再び互いに情報のやりとりをすることができる。例えば、ウェークアップ制御回路の比較器は、復号器の出力信号を、データレジスタ内に記憶されているデータと比較する。比較結果が一致する場合には、システムはチップセットによってウェークアップされる。システムは制御レジスタをクリアし、復号器が周辺機器からの出力信号を受け取らないようにし、入力／出力バッファをディセーブルして、周辺機器と周辺機器制御装置との間の接続を回復する。
【００２３】
【発明の効果】
従って、本発明によれば、パネルスイッチによってではなく周辺機器によって、コンピュータシステムをウェークアップさせ正常な動作モードに復帰させることができる。本発明は、ユーザにとってより便利でフレンドリーな方法を提供する。
本発明を好適な実施形態と共に説明してきたが、この説明は本発明を限定するように意図されたものではない。当業者には、実施形態の様々な変形が明白であろう。従って、添付の特許請求の範囲は、本発明の真の範囲内にあるいかなる変形および実施形態もカバーするものである、ということが意図されている。
【図面の簡単な説明】
【図１】  慣用のコンピュータシステムの周辺機器および周辺機器制御装置の概略図である。
【図２】  本発明の好適な実施形態によるウェークアップ制御回路の概略図であり、周辺機器制御装置、典型的なコンピュータのメインボード上のチップセットおよび外部周辺機器のレイアウトを示す。
【図３】  本発明の好適な実施形態によるウェークアップ制御回路のブロック図である。
【図４】  本発明の好適な実施形態によるウェークアップ制御回路の詳細回路図である。
【符号の説明】
２１    周辺機器、  ２２    周辺機器制御装置、  ２４    ウェークアップ制御回路、  ３１    復号器、  ３２    制御レジスタ、  ３３    データレジスタ、  ３４    比較器、  ３５    入力／出力バッファ。
【図１】
0003805913.tif 000002
【図２】
0003805913.tif 000003
【図３】
0003805913.tif 000004
【図４】
0003805913.tif 000005